(57)【要約】【課題】クレーン１により塔状構造物Ｗの上に吊り上げられる台枠２の下に取付けた破砕機３と、塔状構造物の下部にダクト５１を介して接続される吸引集塵機５とを備える解体装置を用い、吸引集塵機の作動により塔状構造部の中空部に上方から下方に向かう気流を生じさせた状態で、破砕機により塔状構造物を上端から下方に向けて順に破砕する解体工法において、吸引集塵機のダクトを落下する破砕片から保護できるようにする。【解決手段】吸引集塵機５のダクト５１の接続箇所より上方位置に塔状構造物Ｗを囲う環状板６を設置した状態で塔状構造物Ｗの解体を開始する。また、環状板６上に緩衝材６２を敷設して、破砕片ｂの落下衝撃を吸収できるようにする。【選択図】図１
2008231858.tif 000002
【特許請求の範囲】
【請求項１】
中空の塔状構造物を解体する工法であって、
クレーンにより塔状構造物の上に吊り上げられる台枠の下に取付けた破砕機と、塔状構造物の下部にダクトを介して接続される吸引集塵機とを備える解体装置を用い、吸引集塵機の作動により塔状構造部の中空部に上方から下方に向かう気流を生じさせた状態で、破砕機により塔状構造物を上端から下方に向けて順に破砕するものにおいて、
吸引集塵機のダクトの接続箇所より上方位置に塔状構造物を囲う環状板を設置した状態で塔状構造物の解体を開始することを特徴とする塔状構造物の解体工法。
【請求項２】
前記環状板上に緩衝材を敷設することを特徴とする請求項１記載の塔状構造物の解体工法。
【請求項３】
前記解体装置は、前記台枠に吊り下げられる、塔状構造物を囲う養生用の筒状体を備え、塔状構造物の解体の進行に伴う台枠の下降により筒状体の必要長さが短くなるのに応じて筒状体の下端部を環状板上で切断除去することを特徴とする請求項１又は２記載の塔状構造物の解体工法。
【発明の詳細な説明】
【技術分野】
【０００１】
本発明は、煙突等の中空の塔状構造物を解体する工法に関する。
【背景技術】
【０００２】
従来、この種の解体工法として、クレーンにより塔状構造物の上に吊り上げられる台枠の下に取付けた破砕機と、塔状構造物の下部にダクトを介して接続される吸引集塵機とを備える解体装置を用い、吸引集塵機の作動により塔状構造部の中空部に上方から下方に向かう気流を生じさせた状態で、破砕機により塔状構造物を上端から下方に向けて順に破砕する方法は知られている（例えば、特許文献１参照）。
【０００３】
これによれば、破砕機で破砕される塔状構造物の被破砕部に生ずる粉塵が塔状構造物内に生ずる上方から下方に向かう気流に乗って塔状構造物の下方に運搬され、吸引集塵機に吸引される。そのため、粉塵が周辺環境に飛散することを防止できる。
【０００４】
ところで、破砕機は、固定破砕腕とこれに対し開閉動作する可動破砕腕とを備え、固定破砕腕を被破砕部の外面に沿わせた状態で可動破砕腕を閉じ動作させることにより、被破砕部を固定破砕腕と可動破砕腕との間に挟んで破砕するように構成される。そして、破砕後に可動破砕腕が塔状構造物の径方向内方に向けて開き動作されるため、破砕片の殆どは塔状構造物内に落下するが、塔状構造物の外側に破砕片が落下してしまうこともある。そして、外側に落下した破砕片が吸引集塵機のダクトに衝突して、ダクトの損傷を生ずる可能性がある。
【特許文献１】特開２０００−３４５７２１号公報
【発明の開示】
【発明が解決しようとする課題】
【０００５】
本発明は、以上の点に鑑み、吸引集塵機のダクトを落下する破砕片から保護できるようにした塔状構造物の解体工法を提供することをその課題としている。
【課題を解決するための手段】
【０００６】
上記課題を解決するために、本発明は、中空の塔状構造物を解体する工法であって、クレーンにより塔状構造物の上に吊り上げられる台枠の下に取付けた破砕機と、塔状構造物の下部にダクトを介して接続される吸引集塵機とを備える解体装置を用い、吸引集塵機の作動により塔状構造部の中空部に上方から下方に向かう気流を生じさせた状態で、破砕機により塔状構造物を上端から下方に向けて順に破砕するものにおいて、吸引集塵機のダクトの接続箇所より上方位置に塔状構造物を囲う環状板を設置した状態で塔状構造物の解体を開始することを特徴とする。
【０００７】
本発明によれば、破砕片が塔状構造物の外側に落下しても、破砕片は吸引集塵機のダクトの接続箇所より上方位置に設けた環状板で受け止められる。従って、破砕片がダクトに衝突することはなく、ダクトの損傷を防止できる。
【０００８】
また、本発明においては、環状板上に緩衝材を敷設することが望ましい。これによれば、環状板に対する破砕片の衝突エネルギーを緩衝材で吸収でき、破砕片が環状板で跳ね返って周辺に勢いよく飛び散ることを防止できる。
【０００９】
ところで、被破砕部から塔状構造物の外側に落下した破砕片が落下中に塔状構造物の外面に衝突して外方に飛び散ることがある。これを防止するため、塔状構造物を囲う養生用の筒状体を台枠に吊り下げることが望まれる。この場合、塔状構造物の解体の進行に伴い台枠が下降すると、筒状体の必要長さが台枠の下降距離分だけ短くなる。そして、必要長さが短くなるのに応じて筒状体の下端部を適宜切断除去することが必要になる。ここで、環状板が設けられていないと、筒状体の下端が吸引集塵機のダクトに引掛り、筒状体の下端部がダクトの部分でたくし上げられた形状になって、下端部の切断作業が面倒になる。これに対し、本発明では、吸引集塵機のダクトの接続箇所より上方位置に環状板が設置されているため、環状板上で筒状体の下端部の切断除去作業を容易に行うことができる。
【発明を実施するための最良の形態】
【００１０】
以下、図１を参照して、中空の塔状構造物たる煙突Ｗの解体工法に本発明を適用した実施形態について説明する。この解体工法で用いる解体装置は、クレーン１により煙突Ｗの上方に吊り上げられる台枠２と、台枠２の下に取付けられる破砕機３と、台枠２に吊り下げられる、煙突Ｗを囲う養生用の筒状体４と、煙突Ｗの下部にダクト５ａを介して接続される吸引集塵機５とを備える。
【００１１】
台枠２は、エンジンやエンジンで駆動される油圧ポンプ等の動力源２１を搭載した基台２２と、基台２２の下に軸部２３を介して旋回自在に取付けた旋回フレーム２４とで構成される。そして、クレーン１にフック１１及びワイヤ１２を介して基台２２が吊持される。
【００１２】
破砕機３は、旋回フレーム２４にリンク３１ａを介して吊り下げられる下方にのびる固定破砕腕３１と、固定破砕腕３１の上部の略水平に屈曲する屈曲部に上端の軸３２ａを介して枢着される可動破砕腕３２とを備える。可動破砕腕３２は、図示省略した油圧シリンダにより固定破砕腕３１に対し開閉動作される。そして、固定破砕腕３１を煙突Ｗの被破砕部の外面に沿わせた状態で可動破砕腕３２を閉じ動作させ、被破砕部を固定破砕腕３１と可動破砕腕３２との間に挟んで破砕する。
【００１３】
筒状体４は、旋回フレーム２４にワイヤやロッド等の適宜の支持部材４１を介して吊り下げられている。筒状体４の下端には錘４２が着脱自在に取付けられている。尚、筒状体４は旋回フレーム２４の軸部２３に対し偏心しており、筒状体４の重量によるアンバランスを解消するため、旋回フレーム２４にバランスウェイト２５を搭載している。
【００１４】
ここで、筒状体４は、遮風性を有する布や金属板等の材料で形成される上端の遮風部４３と、遮風部４３から下方にのびる、通風性を有する網状材料で形成される通風部４４とで構成されている。遮風部４３の上下方向長さは、破砕機３で破砕される煙突の被破砕部が遮風部４３の上下方向範囲内に収まるように設定される。また、遮風部４３の下部は、下方に向けて縮径するホッパー形状に形成されている。更に、遮風部４３の内面の周方向複数箇所には、煙突Ｗの外面に当接する油圧ジャッキ等から成る伸縮調節自在な隙間保持部材４５が設けられている。尚、隙間保持部材４５は、遮風部４３の下部内周に設けたフレーム４６上に取付けられている。
【００１５】
通風部４４を形成する網状材料は強力ポリエチレン系や強力ポリエステル系等の強化繊維を編み込んだものとしている。網状材料の網目の大きさは、通風性が十分に確保されるように、外方に飛散した場合に危険になるある程度以上の大きさの破砕片を捕捉可能な範囲で可及的に大きく設定される。
【００１６】
煙突Ｗの下端部には、被破砕部から煙突Ｗ内に落下堆積する破砕片ａを掻き出す開口Ｗａが形成されている。そして、この開口Ｗａより若干高い位置に吸引集塵機５のダクト５１が接続されている。
【００１７】
また、ダクト５１の接続箇所より上方位置に煙突Ｗを囲う環状板６が設置されている。環状板６は複数の支柱６１で支持されている。また、環状板６上には砂等の緩衝材６２が敷設されている。
【００１８】
煙突Ｗの解体に際しては、吸引集塵機５を作動させて煙突Ｗの中空部に上方から下方に向かう気流を生じさせる。この状態で破砕機３により煙突Ｗの上端の被破砕部を破砕する。そして、破砕が完了する度に、クレーン１による基台２２の移動と旋回フレーム２４の旋回との合成動作で破砕機３を破砕済み箇所の周方向一方に隣接する被破砕部を挟む位置に変位させ、煙突Ｗを上端から下方に向けて順に螺旋状に解体していく。
【００１９】
ここで、破砕機３で破砕される煙突Ｗの被破砕部は筒状体４の遮風部４３の上下方向範囲内に収まる。そのため、被破砕部に風は当たらず、被破砕部の破砕時に生ずる粉塵が風に煽られて周辺環境に飛散することを防止できる。そして、粉塵は煙突Ｗ内に生ずる上方から下方に向かう気流に乗って煙突Ｗの下方に運搬され、吸引集塵機５に吸引される。
【００２０】
ところで、遮風部４３は風圧を受けるため、台枠２が遮風部４３を介して風で煽られやすくなり、クレーン１の操縦が難しくなる。一方、本実施形態では、遮風部４３の内面に上記の如く隙間保持部材４５が設けられているため、遮風部４３に作用する風圧は隙間保持部材４５を介して煙突Ｗで受けられる。従って、台枠２が遮風部４３を介して風で煽られることを防止でき、クレーン１の操縦が容易になる。尚、煙突Ｗは下方に向けて拡径しており、解体の進行で台枠２を下降させると、遮風部４３と煙突Ｗとの間の隙間が次第に狭くなる。隙間保持部材４５は伸縮調節自在であるため、遮風部４３と煙突Ｗとの間の隙間の変化にも対応できる。
【００２１】
また、可動破砕腕３２の閉じ動作による被破砕部の破砕後に、可動破砕腕３２が煙突Ｗの径方向内方に向けて開き動作されるため、破砕片の殆どは煙突Ｗ内に落下するが、煙突Ｗの外側に一部の破砕片が落下してしまうこともある。そして、煙突Ｗの外側に落ちた破砕片ｂは煙突Ｗの外面と筒状体４との間の隙間を通過して環状板６上に落下する。
【００２２】
ここで、筒状体４が風圧で煙突Ｗの外面に強く押し付けられた場合、煙突Ｗに対する筒状体４の押し付け箇所の上に破砕片が落下衝突すると、衝撃で筒状体４が破損してしまうことがある。これに対し、本実施形態では、煙突Ｗに押し付けられる可能性のある筒状体４の部分が通風部４４で構成されるため、煙突Ｗの外面に筒状体４が風で押し付けられるとしても、その押し付け力は然程強くならない。従って、煙突Ｗに対する筒状体４の押し付け箇所の上に破砕片が落下した場合、筒状体４は煙突Ｗの外面から速やかに離れて破砕片の通過を許容する。そのため、筒状体４に大きな衝撃力は作用せず、筒状体４の破損が有効に防止される。
【００２３】
また、本実施形態では、煙突Ｗの外側に落下した破砕片ｂは環状板６で受け止められる。そのため、環状板６より下方の吸引集塵機５のダクト５１に破砕片ｂが衝突することはなく、ダクト５１の損傷も防止できる。更に、環状板６上に敷設した緩衝材６２により環状板６に対する破砕片ｂの衝突エネルギーが吸収され、破砕片ｂが環状板６で跳ね返って周辺に勢いよく飛び散ることも防止できる。
【００２４】
また、煙突Ｗの解体の進行に伴い台枠２が下降すると、筒状体４の必要長さが台枠２の下降距離分だけ短くなる。そして、必要長さを上回る余剰長さ分だけ筒状体４の下端部が環状板６上に折り重なるようにして着座する。そこで、台枠２が所定距離下降する度に、環状板６上で作業者が余剰長さ分だけ筒状体４の下端部を切断除去する。この場合、切断除去する筒状体４の部分から錘４２を取外して、この錘４２を切断後の筒状体４の下端に取り付ける。
【００２５】
尚、環状板６が設けられていないと、筒状体４の下端が吸引集塵機５のダクト５１に引掛り、筒状体４の下端部がダクト５１の部分でたくし上げられた形状になって、下端部の切断作業が面倒になる。これに対し、本実施形態では、ダクト５１の接続箇所より上方位置に環状板６が設置されているため、筒状体４の下端がダクト５１に引掛ることはない。従って、環状板６上で筒状体４の下端部の切断除去作業を容易に行うことができる。
【００２６】
以上、本発明の実施形態について図面を参照して説明したが、本発明はこれに限定されない。例えば、上記実施形態で用いた筒状体４を省略することも可能である。この場合、破砕片が煙突Ｗの周辺にある程度広範囲に落下する可能性があるため、環状板６を吸引集塵機５の上方位置まで延在する幅広のものとして、吸引集塵機５を落下する破砕片から保護することが望まれる。また、上記実施形態は、煙突Ｗの解体に本発明を適用したものであるが、煙突以外の中空塔状構造物の解体にも同様に本発明を適用できる。
【図面の簡単な説明】
【００２７】
【図１】本発明工法の実施に用いる解体装置の一例を示す側面図。
【符号の説明】
【００２８】
Ｗ…煙突（塔状構造物）、１…クレーン、２…台枠、３…破砕機、４…筒状体、５…吸引集塵機、５１…ダクト、６…環状板、６２…緩衝材。
【図１】
2008231858.tif 000003